(57)【要約】【課題】一対の起立片を底面に有する紙製容器において、起立片同士を起立し係止した状態における、底面からの起立片の高さ及び紙製容器の強度を十分に確保することができ、かつ、起立片同士が起立し係止した状態を良好に維持することができる、高さの高い紙製容器を提供する。【解決手段】紙製容器１の高さを従来よりも高く設定し、底面１０ｂに、天面１０ａ側に押し込むことで係止可能な一対の起立片１２を、起立する前の状態において、底面の長辺の中心点を通過する短手方向平行線を境界として両側に、点対称の関係となるように、それぞれ離間して設け、さらに、起立片１２の態様を工夫した、紙製容器１を提供する。【選択図】図２
2019172344.tif 000002
【特許請求の範囲】
【請求項１】
ティシュペーパーをポップアップ式に取出し可能に交互に積層してなる積層体を収納可能な略直方体の紙製容器であって、
前記紙製容器の高さは５０ｍｍ以上１２０ｍｍ以下であり、
前記紙製容器の天面には、前記ティシュペーパーを通過させて取出すための開口部が設けられており、
前記紙製容器の底面には、天面側に押し込むことで係止可能な一対の起立片が、起立する前の状態において、前記底面の長辺の中心点を通過する短手方向平行線を境界として両側に、点対称の関係となるように、それぞれ離間して設けられており、
各前記起立片は、起立する前の状態において、略台形領域と、前記略台形領域から長手方向外側に隣接し、短手方向に突起部を有する係止領域と、を組み合わせた形状をそれぞれ有しており、
前記略台形領域の下底は、前記底面の短手方向に略平行に設けられた折り目用の罫線で構成され、上底よりも前記底面の長手方向内側に位置し、
各前記起立片が起立する前の状態において、前記略台形領域と前記係止領域を組み合わせた領域は、前記罫線とミシン線により囲まれており、
前記略台形領域の上底と前記突起部を形成するミシン線の交点である係止点から、前記突起部の先端までの短手方向平行線上の距離は、１．５ｍｍ以上５ｍｍ以下であり、
各前記起立片における係止点同士を結ぶ線が、一対の前記起立片の対称点を通過する、紙製容器。
【請求項２】
各前記起立片が、起立して互いに係止された状態において、前記底面からの前記起立片の最上部での垂直距離が、前記紙製容器の高さに対して２０％以上５５％以下であり、かつ、前記底面の長辺の寸法に対して１５％以上２０％以下である、請求項１に記載の紙製容器。
【請求項３】
各前記起立片が起立する前の状態において、前記罫線から前記係止点までの距離が、それぞれ２０ｍｍ以上４０ｍｍ以下である、請求項１又は２に記載の紙製容器。
【請求項４】
前記略台形領域の下底は、上底よりも長い、請求項１から３のいずれかに記載の紙製容器。
【請求項５】
前記紙製容器に用いる板紙の坪量は３００ｇ／ｍ２以上５００ｇ／ｍ２以下である、請求項１から４のいずれかに記載の紙製容器。
【請求項６】
前記ミシン線は、切込部と非切込部が互いに繰り返される構造を有し、
前記突起部の先端部は、一つの前記切込部のみで略円弧状に形成され、前記突起部の先端部の両端に隣接して、１ｍｍ以上２ｍｍ以下の非切込部が配置されており、当該略円弧状の切込部の寸法はその他の切込部の寸法よりも長く、
その他の各前記切込部の寸法は２ｍｍ以上３ｍｍ以下であり、各前記非切込部の寸法は１ｍｍ以上２ｍｍ以下である、請求項１から５のいずれかに記載の紙製容器。
【発明の詳細な説明】
【技術分野】
【０００１】
本発明は、ティシュペーパーをポップアップ式に取出し可能に交互に積層してなる積層体を収納可能な略直方体の紙製容器に関する。
【背景技術】
【０００２】
従来、ティシュ製品の収納容器として、ティシュペーパーをポップアップ式に取出し可能に交互に積層してなる積層体を収納可能な略直方体の紙製容器が用いられている。ここで、これら紙製容器に収納された内容物であるティシュペーパーの積層枚数が少なくなるにつれて、ティシュペーパーが容器内部に落ちる、いわゆるドロップバック現象が起こり、ポップアップできない場合がある。ドロップバック現象を抑制するために、紙製容器の底面に押し上げ機能が備えられる場合があり、押し上げ機能の一つの態様として、紙製容器の底面に一対の起立片を設けたものが知られている（例えば、特許文献１、特許文献２参照）。
【先行技術文献】
【特許文献】
【０００３】
【特許文献１】実公平０２−４２６２０号公報
【特許文献２】実開昭６１−１６１２８０号公報
【発明の概要】
【発明が解決しようとする課題】
【０００４】
ところで、近年、他のティシュ製品と差別化を図るために、付加価値を付与し、高級感を高めたティシュ製品も上市されている。これら高級感を高めたティシュ製品は、ティシュペーパーの入り数が多く、紙製容器の高さが高い傾向にある。
ここで、高さの高い紙製容器では、起立片同士を係止させた状態における高さを確保するために、各起立片を長くしなければならず、特許文献１及び特許文献２に開示されているように、底面の短辺の中心点を通過する長手方向平行線を境界として、両側に各起立片を配置させると、起立片同士を係止させた状態において求める高さを実現するための起立片の長さを十分に確保できない場合や、また、短手方向の開口面積が大きくなることにより、紙製容器の強度が低下することが懸念される。
さらに、高さの高い紙製容器を用いた場合には、起立片同士が起立し係止した状態で従来よりも多くのティシュペーパーを支えなければならず、従来の起立片の態様では、起立片同士を係止させた場合のかみ合わせが弱く、起立片同士が起立し係止した状態を良好に維持することができず、ドロップバック現象の発生や取出し性不良等の不具合が発生することがあった。
【０００５】
したがって、本発明は、以上の課題に鑑みてなされたものであり、一対の起立片を底面に有する紙製容器において、起立片同士を起立し係止した状態における、底面からの起立片の高さ及び紙製容器の強度を十分に確保することができ、かつ、起立片同士が起立し係止した状態を良好に維持することができる、高さの高い紙製容器を提供することを目的とする。
【課題を解決するための手段】
【０００６】
本発明の発明者らは、上記課題に鑑み、鋭意研究を行った。その結果、紙製容器の高さを従来よりも高く設定し、底面に、天面側に押し込むことで係止可能な一対の起立片を、起立する前の状態において、底面の長辺の中心点を通過する短手方向平行線を境界として両側に、点対称の関係となるように、それぞれ離間して設け、さらに、起立片の態様を工夫することにより、上記課題を解決できることを見出し、本発明を完成するに至った。具体的には、本発明は、以下のものを提供する。
【０００７】
（１）本発明の第１の態様は、ティシュペーパーをポップアップ式に取出し可能に交互に積層してなる積層体を収納可能な略直方体の紙製容器であって、前記紙製容器の高さは５０ｍｍ以上１２０ｍｍ以下であり、前記紙製容器の天面には、前記ティシュペーパーを通過させて取出すための開口部が設けられており、前記紙製容器の底面には、天面側に押し込むことで係止可能な一対の起立片が、起立する前の状態において、前記底面の長辺の中心点を通過する短手方向平行線を境界として両側に、点対称の関係となるように、それぞれ離間して設けられており、各前記起立片は、起立する前の状態において、略台形領域と、前記略台形領域から長手方向外側に隣接し、短手方向に突起部を有する係止領域と、を組み合わせた形状をそれぞれ有しており、前記略台形領域の下底は、前記底面の短手方向に略平行に設けられた折り目用の罫線で構成され、上底よりも前記底面の長手方向内側に位置し、各前記起立片が起立する前の状態において、前記略台形領域と前記係止領域を組み合わせた領域は、前記罫線とミシン線により囲まれており、前記略台形領域の上底と前記突起部を形成するミシン線の交点である係止点から、前記突起部の先端までの短手方向平行線上の距離は、１．５ｍｍ以上５ｍｍ以下であり、各前記起立片における係止点同士を結ぶ線が、一対の前記起立片の対称点を通過する、紙製容器である。
【０００８】
（２）本発明の第２の態様は、（１）に記載の紙製容器であって、各前記起立片が、起立して互いに係止された状態において、前記底面からの前記起立片の最上部での垂直距離が、前記紙製容器の高さに対して２０％以上５５％以下であり、かつ、前記底面の長辺の寸法に対して１５％以上２０％以下であることを特徴とするものである。
【０００９】
（３）本発明の第３の態様は、（１）又は（２）に記載の紙製容器であって、各前記起立片が起立する前の状態において、前記罫線から前記係止点までの距離が、それぞれ２０ｍｍ以上４０ｍｍ以下であることを特徴とするものである。
【００１０】
（４）本発明の第４の態様は、（１）から（３）のいずれかに記載の紙製容器であって、前記略台形領域の下底は、上底よりも長いことを特徴とするものである。
【００１１】
（５）本発明の第５の態様は、（１）から（４）のいずれかに記載の紙製容器であって、前記紙製容器に用いる板紙の坪量は３００ｇ／ｍ２以上５００ｇ／ｍ２以下であることを特徴とするものである。
【００１２】
（６）本発明の第６の態様は、（１）から（５）のいずれかに記載の紙製容器であって、前記ミシン線は、切込部と非切込部が互いに繰り返される構造を有し、前記突起部の先端部は、一つの前記切込部のみで略円弧状に形成され、前記突起部の先端部の両端に隣接して、１ｍｍ以上２ｍｍ以下の非切込部が配置されており、当該略円弧状の切込部の寸法はその他の切込部の寸法よりも長く、その他の各前記切込部の寸法は２ｍｍ以上３ｍｍ以下であり、各前記非切込部の寸法は１ｍｍ以上２ｍｍ以下であることを特徴とするものである。
【発明の効果】
【００１３】
本発明において、紙製容器の底面には、天面側に押し込むことで係止可能な一対の起立片が、起立する前の状態において、底面の長辺の中心点を通過する短手方向平行線を境界として両側に、点対称の関係となるように、それぞれ離間して設けられているため、起立片同士を係止させた状態において求める高さを実現するための起立片の長さを十分に確保でき、起立片を起立させた状態における、短手方向の開口面積を小さくすることができるため、紙製容器の強度を十分に確保することができる。
【００１４】
また、本発明において、各起立片は、起立する前の状態において、略台形領域と、略台形領域から長手方向外側に隣接し、短手方向に突起部を有する係止領域と、を組み合わせた形状をそれぞれ有しており、略台形領域の上底と突起部を形成するミシン線の交点である係止点から、突起部の先端までの短手方向平行線上の距離は、１．５ｍｍ以上５ｍｍ以下であり、各起立片における係止点同士を結ぶ線が、一対の起立片の対称点を通過する起立片同士が起立し係止した状態を良好に維持することができる。
【００１５】
したがって、本発明によれば、起立片同士を起立し係止した状態における、底面からの起立片の高さ及び紙製容器の強度を十分に確保することができ、かつ、起立片同士が起立し係止した状態を良好に維持することができる、高さの高い紙製容器を提供することができる。
【図面の簡単な説明】
【００１６】
【図１】本発明の紙製容器の斜視図である。
【図２】起立する前の一対の起立片の態様を示す本発明の紙製容器の底面図である。
【図３】起立する前の一対の起立片の態様を示す本発明の紙製容器の底面図である。
【図４】一対の起立片が起立し係止した状態を示す図面である。
【発明を実施するための形態】
【００１７】
以下、添付図面を参照して、本発明を実施するための形態（以下、実施形態）について詳細に説明する。なお、実施形態の説明の全体を通して同じ要素には同じ符号を付する。
【００１８】
本発明の紙製容器１は、ティシュペーパーをポップアップ式に取出し可能に交互に積層してなる積層体を収納可能な略直方体の形状を有している。紙製容器１の略直方体の形状は、長辺、短辺、及び高さ方向の辺から構成される。本明細書において、長手方向とは、紙製容器１の長辺に平行な方向を指し、図中Ｘで表す方向であり、短手方向とは、長手方向に対して直交し、紙製容器１の短辺に平行な方向であり、図中Ｙで表す方向である。
【００１９】
紙製容器１の長辺の寸法は、２２０ｍｍ以上２５０ｍｍ以下であることが好ましく、紙製容器１の短辺の寸法は、１１０ｍｍ以上１２０ｍｍ以下であることが好ましい。紙製容器１の長辺及び短辺の寸法を上記の範囲とすることにより、ティシュペーパーをポップアップ式に取出し可能に交互に積層してなる積層体を収納するのに適した紙製容器１を得ることができる。
また、本発明の紙製容器１の高さは、５０ｍｍ以上１２０ｍｍ以下であり、７５ｍｍ以上１１０ｍｍ以下であることが好ましい。紙製容器１の高さを上記の範囲とすることにより、従来のティシュ製品に用いた紙製容器よりも高さの高い紙製容器１を得ることができ、紙製容器１を用いたティシュ製品に高級感を付与することができる。
【００２０】
紙製容器１に用いる板紙の材質は、基材として、針葉樹晒クラフトパルプ（ＮＢＫＰ）や広葉樹晒クラフトパルプ（ＬＢＫＰ）等の木材パルプや新聞紙や雑誌等の古紙パルプを使用できる。これらのなかでも、加工適性や印刷適性の観点から、木材パルプが好ましい。
また、紙製容器１の十分な強度を確保するために、紙製容器１に用いる板紙の坪量は３００ｇ／ｍ２以上５００ｇ／ｍ２以下であることが好ましい。
【００２１】
紙製容器１の天面１０ａにはティシュペーパーを通過させて取出すための開口部１１が設けられている。開口部１１としては、ミシン目により外周が形成される取出口と、取出口の外側の裏面に貼付され、取出し用のスリットを有する窓貼用フィルムを有する態様を用いることができる（図示しない）。
【００２２】
＜起立片＞
図２及び図３は、起立する前の一対の起立片１２の態様を示す本発明の紙製容器１の底面図である。従来のティシュ製品に用いた紙製容器のように、底面の短辺の中心点を通過する長手方向平行線を境界として、両側に各起立片１２を配置させると、起立片１２同士を係止させた状態において求める高さを実現するための起立片１２の長さを十分に確保できない場合や、また、短手方向の開口面積が大きくなることにより、紙製容器１の強度が低下することが懸念されるが、本発明において、紙製容器１の底面１０ｂには、図２及び図３に示すように、天面１０ａ側に押し込むことで係止可能な一対の起立片１２が、起立する前の状態において、底面１０ｂの長辺の中心点を通過する短手方向平行線（図中Ｙ１−Ｙ１線）を境界として両側に、点対称の関係となるように、それぞれ離間して設けられている。このため、従来のティシュ製品に用いた紙製容器と比べて、起立片１２同士を係止させた状態において、従来のティシュ製品に用いた紙製容器と比べて、より高い高さを実現するための起立片１２の長さを十分に確保でき、起立片１２を起立させた状態における、短手方向の開口面積を小さくすることができるため、紙製容器１の強度を十分に確保することができる。なお、一対の起立片１２の対称点は、バランスの観点から、短辺の中心点を通過する長手方向平行線と長辺の中心点を通過する短手方向平行線の交点から１０ｍｍ以内に位置することが好ましい。
【００２３】
各起立片１２は、図２及び図３に示すように、起立する前の状態において、略台形領域１３と、略台形領域１３から長手方向外側に隣接し、短手方向に突起部１４ａを有する係止領域１４と、を組み合わせた形状をそれぞれ有している。
また、略台形領域１３の下底は、図２及び図３に示すように、底面１０ｂの短手方向に略平行に設けられた折り目用の罫線１５で構成され、上底よりも底面１０ｂの長手方向内側に位置し、起立片１２が起立する前の状態において、略台形領域１３と係止領域１４を組み合わせた領域は、罫線１５とミシン線１６により囲まれている。そして、略台形領域１３の上底と突起部１４ａを形成するミシン線１６の交点である係止点１４ｂを有している。なお、略台形領域１３の上底は、図中では、Ｙ２−Ｙ２線となるが、Ｙ２−Ｙ２線上にミシン線や折り目用の罫線は設けられていない。
【００２４】
なお、各起立片１２における罫線１５と、紙製容器１の長辺の中心点を通過する短手方向平行線と、の離間距離は、一対の起立片１２が起立し係止した状態を良好に維持するために、５ｍｍ以上１５ｍｍ以下であることが好ましい。
【００２５】
図４は一対の起立片１２が起立し係止した状態を示す図面である。各起立片１２を、天面１０ａ側に押し込むことでミシン線１６を開封し、罫線１５を底辺として起立片１２を起立させることができる。そして、図４に示すように、起立した起立片１２同士を、係止点１４ｂで交差させて係止することができる。そして、係止した後は、係止領域１４の突起部１４ａ同士が、起立前の方向に各起立片１２が戻ることを防止するため、係止した状態を良好に維持することができる。なお、本明細書において、突起部１４ａは、図２及び図３において、係止点１４ｂを通過する長手方向平行線とミシン線１６で囲まれた部分を指す。
【００２６】
ここで、係止領域１４の形状は、特に限定されないが、図２に示すように、略平行四辺形状であってもよく、図３に示すように、略台形状であってもよい。また、係止領域１４の長手方向の寸法（図２に示した略平行四辺形状や図３に示した略台形状の高さに相当）は、８ｍｍ以上２０ｍｍ以下であることが好ましく、係止領域１４の底辺（略台形領域１３の上底と重複する辺）に対向する辺の寸法は６ｍｍ以上２５ｍｍ以下であることが好ましい。
【００２７】
また、係止点１４ｂから、突起部１４ａの先端までの短手方向平行線上の距離は、１．５ｍｍ以上５ｍｍ以下である。係止点１４ｂから、突起部１４ａの先端までの短手方向平行線上の距離が上記の範囲であることにより、係止する際に突起部同士が干渉し難く、かつ、係止した後において、効果的かつ無駄のない態様で突起部１４ａが形成され、係止領域１４の突起部１４ａ同士が、起立前の方向に各起立片１２が戻ることを防止することができる。
【００２８】
突起部１４ａの先端の位置は、特に限定されないが、突起部１４ａ同士のかみ合わせを強くし、係止状態が外れることをより効果的に防ぐために、図３に示すように、略台形領域１３における上底の延長線上又はその近傍にあることが好ましく、より具体的には、突起部１４ａの先端は、略台形領域１３の上底の延長線から０ｍｍ以上１０ｍｍ以下の位置にあることが好ましく、５ｍｍ以上１０ｍｍ以下の位置にあることがより好ましい。
【００２９】
さらに、一対の起立片１２の係止点１４ｂ同士を結ぶ線が、一対の起立片１２の対称点を通過する。これにより、係止点１４ｂ同士を隙間なく適切に合致させることができる。
【００３０】
さらに、略台形領域１３の下底（罫線１５）は、上底よりも長いことが好ましい。これにより起立させた際の重心が低くなり、係止した一対の起立片１２の上方に積層されるティシュペーパーが多くなっても、起立片１２同士を係止した状態を良好に維持することができる。なお、略台形領域１３の下底（罫線１５）の寸法は、３０ｍｍ以上５０ｍｍ以下であることが好ましく、略台形領域１３の上底の寸法は、６ｍｍ以上２５ｍｍ以下であることが好ましい。
【００３１】
各起立片１２が起立する前の状態において、罫線１５から係止点１４ｂまでの距離（略台形領域１３の高さ）は、それぞれ２０ｍｍ以上４０ｍｍ以下であることが好ましい。これにより、各起立片１２が、起立して互いに係止された状態における、求める高さを確保することができる。
【００３２】
各起立片１２が、起立して互いに係止された状態において、底面１０ｂからの起立片１２の最上部での垂直距離が、紙製容器１の高さに対して２０％以上５５％以下であり、かつ、底面１０ｂの長辺の寸法に対して１５％以上２０％以下であることが好ましい。これにより、起立片１２同士を係止させた状態において求める高さを実現するための起立片１２の長さを十分に確保できる。
さらに、各起立片１２が、起立して互いに係止された状態を安定して維持できるように、一対の起立片１２が起立し係止した状態において、底面１０ｂと起立片１２が成す角は４５°以上８０°以下であることが好ましい。
【００３３】
図２及び図３に示すように、ミシン線１６は、切込部１６ａと非切込部１６ａが互いに繰り返される構造を有し突起部１４ａの先端部は、一つの切込部１６ａのみで略円弧状に形成され、突起部１４ａの先端部の両端に隣接して、１ｍｍ以上２ｍｍ以下の非切込部１６ｂが配置されており、当該略円弧状の切込部１６ａの寸法はその他の切込部１６ａの寸法よりも長く、その他の各切込部１６ａの寸法は２ｍｍ以上３ｍｍ以下であり、各非切込部１６ｂの寸法は１ｍｍ以上２ｍｍ以下であることが好ましい。ミシン線１６をこのように調整することにより、使用者はミシン線１６を容易に開封することができ、未開封時（例えば輸送時）に意図せずミシン線１６が開封されることを防止することができる。特に、突起部１４ａの先端部は、切込部１６ａにより略円弧状に形成され、突起部１４ａの先端部を形成する切込部１６ａの寸法を他の切込部１６ａより長くすることにより、開封する際に当該先端部を指先で押すことで、より容易にミシン線１６を開封することができる。
【００３４】
以上、実施形態を用いて本発明を説明したが、本発明の技術的範囲は上記実施形態や実施例に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３５】
１          紙製容器
１０ａ      天面
１０ｂ      底面
１１        開口部
１２        起立片
１３        略台形領域
１４        係止領域
１４ａ      突起部
１４ｂ      係止点
１５        罫線
１６        ミシン線
１６ａ      切込部
１６ｂ      非切込部
【図１】
2019172344.tif 000003
【図２】
2019172344.tif 000004
【図３】
2019172344.tif 000005
【図４】
2019172344.tif 000006